(57)【要約】【課題】波形スレートへの取付けが容易なサドルを提供する。【解決手段】通孔部４４が開設された平坦部４２と、この平坦部４２から斜め下方へ離間的に延在するスカート部４６,４６とからサドル４０を構成する。通孔部４４は、平坦部４２に設けられた一対の第１係合片４８,４８における開放端４８ａ,４８ａと、平坦部４２に第１係合片４８よりも短尺に設けられた一対の第２係合片５０,５０における開放端５０ａ,５０ａとにより楕円状(オーバル形状)に画成される。そして、通孔部４４にフックボルトを挿通させた際に、第１係合片４８,４８がフックボルトに係合すると共に、第２係合片５０,５０が該第１係合片４８よりも下側でフックボルトに係合し、両第１,第２係合片４８,５０がフックボルトに対し２段構造で係合する。【選択図】図２
0003124051.tif 000002
【実用新案登録請求の範囲】
【請求項１】
波形スレート(18)の外側に新たな外装材(30)を配設する改修を行なうに際し、該波形スレート(18)の外側に固定されて外装材(30)を支持するために用いられるサドル(40/41)であって、
前記波形スレート(18)の山形部(18a)から外方へ突出する既設のフックボルト(10)の外径より大きな内径に設定した開口部(54)を有し、前記外装材(30)を支持する平坦部(42)と、
この平坦部(42)を挟む両側において斜め外方へ延在し、前記開口部(54)にフックボルト(10)を挿通した際に波形スレート(18)の山形部(18a)を挟む両側に当接する支持部(46,46)とを備え、
前記平坦部(42)には、前記開口部(54)と同心的に位置し、開口部内方に延出する一対の第１係合片(48,48/49,49)と、該一対の第１係合片(48,48/49,49)とは周方向に離間して対向し、各第１係合片(48/49)より短く開口部内方に延出する一対の第２係合片(50,50/51,51)とが設けられ、これら４つの係合片(48,48,50,50/49,49,51,51)の開放端(48a,48a,50a,50a/49a,49a,51a,51a)は前記フックボルト(10)の外径より小径の楕円状の通孔部(44/45)を画成し、
前記通孔部(44/45)にフックボルト(10)を挿通した際に、前記第１係合片(48,48/49,49)の開放端(48a,48a/49a,49a)がフックボルト(10)に係合すると共に、前記第２係合片(50,50/51,51)の開放端(50a,50a/51a,51a)が第１係合片(48/49)よりも下側でフックボルト(10)に係合して、波形スレート(18)に固定されるよう構成した
ことを特徴とする波形スレート改修用のサドル。
【考案の詳細な説明】
【技術分野】
【０００１】
この考案は、波形スレート改修用のサドルに関し、更に詳細には、屋根材や外壁材として設けられた波形スレートを改修する際に使用されて、新たな外装材を支持するサドルに関するものである。
【背景技術】
【０００２】
工場や倉庫等の建物の屋根や外壁に、外装材としての波形スレートが広く使用されている。例えば屋根材として使用される波形スレートは、屋根を構成する母屋桁の上面に敷設部材を介して載置されるものであって、該母屋桁に所定間隔毎に掛止したフックボルトが該スレートの各頂部を貫通して上方に延在する雄ネジ部分にナットを螺合することにより支持固定されている。
【０００３】
この波形スレートを葺いた屋根は、破損したり経年的に劣化することで適宜補修がなされるが、その補修する際の従来の手段としては、交換される波形スレートおよびこれと重合して隣接する他の波形スレートを支持しているフックボルトを母屋桁から全て外し、交換すべき波形スレートを撤去した後に新しい波形スレートを配設する。そして、新たな波形スレートの適宜個所にフックボルトを挿通させるための通孔を開設し、該通孔に挿通したフックボルトの下部を母屋桁に掛止させた後に前記ナットを螺合することで、当該新たな波形スレートが支持固定される。しかしこの手段においては、破損等した旧スレートの一部やこれを撤去する際の塵埃が、前記各母屋桁の間から建物内部に落下して床面等を汚損してしまう難点がある。また前述したように、新たなスレートには、フックボルトを挿通させるための通孔を新たに開設する手間が生じるため、多大な人力と施工費用を要すると云った点も指摘される。
【０００４】
そこでこの問題を解決する手段として、例えば特許文献１に示す「二重葺き屋根構造」が存在する。この特許文献１の屋根構造においては、図６に示すように、母家桁３２に係止したフックボルト１０の挿通を許容する通孔部１２を設けた平坦部１４と、該平坦部１４の両側から夫々延在するスカート部１６とからなるサドル１９が使用される。そして、このサドル１９の通孔部１２に前記フックボルト１０の上部に設けられた雄ネジ部１０ａを挿通させた後に、該サドル１９を波形スレート１８の山形部１８ａに跨がらせる。また、内部に雌ネジ部２０ａが螺設されると共に、外部に雄ネジ部２０ｂが形成された複合ボルト２０を、前記サドル１９から上方へ突出するフックボルト１０の雄ネジ部１０ａに螺合させ、前記サドル１９の各スカート部１６における下端縁１６ａを波形スレート１８に接触させた状態でサドル１９を固定する。そして、複合ボルト２０の上方から新たな金属屋根材２２を配設し、該複合ボルト２０が金属屋根材２２に設けた通孔２２ａから突出する部位にパッキン２４および座金２６を介してナット２８を螺挿することで、新たな金属屋根材２２が波形スレート１８の上面に対して脱落不能に固定される。
【０００５】
この特許文献１の二重葺き構造によれば、既設のフックボルト１０を使用するので波形スレート１８に孔開け加工等を施す必要がなく、挿通孔の開設時における削りカスや騒音等をほとんど発生することなく施工できる利点がある。
【特許文献１】特開２００２−１５５６００号公報
【考案の開示】
【考案が解決しようとする課題】
【０００６】
このように特許文献１の二重葺き構造では、サドル１９を波形スレート１８に取付ける際に、前記通孔部１２に挿通したフックボルト１０の雄ネジ部１０ａに複合ボルト２０を螺合して固定する必要がある。しかしながら、高所で足場も不安定な屋根上にて、前記複合ボルト２０を雄ネジ部１０ａにネジ止めする作業は、非常に煩雑であり危険が伴うので、改修作業の能率を低下させる要因となっていた。また、サドル１９の通孔部１２から突出するフックボルト１０の長さが短い場合には、フックボルト１０と複合ボルト２０とが螺合する量が足りず、サドル１９の固定力が低下してしまう欠点もあった。しかも、経年的な劣化により雄ネジ部１０ａが錆びたり、歪んだりすると、複合ボルト２０をネジ止めすることが不可能となってしまう場合もある。殊に改修が必要な屋根においては、フックボルト１０が錆びてローソク状になってしまうことがあり、従来の複合ボルト２０ａが全く螺合不能となる事態もある。すなわち、従来の如きサドル１９の固定構造では、フックボルト１０の突出量や状態によっては、波形スレート１８の改修作業ができなくなる問題が発生していた。
【０００７】
この考案は、前述した従来技術に内在している前記課題に鑑み、これを好適に解決するべく提案されたものであって、波形スレートに容易かつ確実に固定することができ、また既設のフックボルトの突出量が短くても固定可能な波形スレート改修用のサドルを提供することを目的とする。
【課題を解決するための手段】
【０００８】
前記課題を克服し、所期の目的を達成するため、本考案に係る波形スレート改修用のサドルは、
波形スレートの外側に新たな外装材を配設する改修を行なうに際し、該波形スレートの外側に固定されて外装材を支持するために用いられるサドルであって、
前記波形スレートの山形部から外方へ突出する既設のフックボルトの外径より大きな内径に設定した開口部を有し、前記外装材を支持する平坦部と、
この平坦部を挟む両側において斜め外方へ延在し、前記開口部にフックボルトを挿通した際に波形スレートの山形部を挟む両側に当接する支持部とを備え、
前記平坦部には、前記開口部と同心的に位置し、開口部内方に延出する一対の第１係合片と、該一対の第１係合片とは周方向に離間して対向し、各第１係合片より短く開口部内方に延出する一対の第２係合片とが設けられ、これら４つの係合片の開放端は前記フックボルトの外径より小径の楕円状の通孔部を画成し、
前記通孔部にフックボルトを挿通した際に、前記第１係合片の開放端がフックボルトに係合すると共に、前記第２係合片の開放端が第１係合片よりも下側でフックボルトに係合して、波形スレートに固定されるよう構成したことを特徴とする。
【考案の効果】
【０００９】
本考案に係る波形スレート改修用のサドルによれば、従来のようにボルト等の固定部材を用いなくても、サドルを押込むだけで波形スレートに固定することができ、波形スレートへの取付けが極めて容易となる。これにより、作業効率が向上して、波形スレートの改修コストを低廉にすることができる。また、フックボルトの突出量は、第１係合片および第２係合片が係合し得る長さで足りるので、フックボルトの突出量が短くても、サドルの固定力が低下したり、固定できなくなると云った問題を回避し得る。更に、フックボルトの雄ネジ部が錆びていたり、多少変形したりしていても、サドルを確実に固定することができる。殊に、ローソク状に錆びたフックボルトに対しても、第１,第２係合片が表面の錆にくい込んでフックボルト内部に係合するので、サドルの確実な固定を達成し得る。
【考案を実施するための最良の形態】
【００１０】
次に、本考案に係る波形スレート改修用のサドルにつき、好適な実施例を挙げて、添付図面を参照しながら以下説明する。なお実施例では、倉庫や工場等の屋根に設置された波形スレートを改修する際に、本考案のサドルを使用した場合を示すが、倉庫等の外壁を形成する外壁材としての波形スレートを改修する場合にも、本考案のサドルを使用することができる。また、以下の説明において、従来技術で説明した同一の部材については同じ符号を付すものとする。
【００１１】
実施例に示す波形スレート改修用のサドル４０は、例えば図１に示す如く、波形スレート１８を使用した既設の屋根の上部に、これとは別体の金属屋根材(外装材)３０を新たに設置して２重構造とする改修工法において用いられる。前記波形スレート１８には、その山形部１８ａにおける頂部に穿設された通孔を介してフックボルト１０が貫挿されている。フックボルト１０は、鋭角に折曲形成された下端部が、図示しない母屋桁(構造材)に係止されると共に、雄ネジ部１０ａを設けた上部が波形スレート１８の上方に延在するよう配置されている。そして、この雄ネジ部１０ａにナット３４を螺挿することで、波形スレート１８が母屋桁に支持固定されている。
【００１２】
図１に示すように、前記波形スレート１８を支持固定しているフックボルト１０の雄ネジ部１０ａに、平坦部４２を有する断面山型に折曲成形されたサドル４０が配設される。この平坦部４２は、前記山形部１８ａの頂部近傍を略覆い得る横幅寸法に設定されており、その略中央部位に、該フックボルト１０が挿通される楕円状(オーバル形状)の通孔部４４が設けられている。また平坦部４２の長手方向の両側には、斜め下方(外方)へ互いに離間するよう延在する一対のスカート部(支持部)４６,４６が設けられている。なお、本考案において通孔部４４の形状である楕円状とは、厳密な楕円に限られる訳ではなく、長円や平行部を有するトラック形状等の形状を含む概念である。
【００１３】
図２(ａ)に示すように、前記通孔部４４は、一対の第１係合片４８,４８の開放端４８ａ,４８ａと、該第１係合片４８とは周方向に離間して第１係合片４８よりも短尺な一対の第２係合片５０,５０の開放端５０ａ,５０ａとにより楕円状に画成されている。実施例においては、サドル４０とは別体の薄板状金属板を打ち抜き加工して、一対の第１係合片４８,４８および一対の第２係合片５０,５０の４つの弾性変形可能な係合片を形成し、これら係合片４８,４８,５０,５０の開放端４８ａ,４８ａ,５０ａ,５０ａによって楕円状の通孔部４４が形成されている。そして、これら係合片４８,４８,５０,５０が形成された板状片５２を、前記サドル４０の平坦部４２に開設されてフックボルト１０の外径より大きな内径に設定された開口部５４に対応させた状態で接合している。すなわち、図２(ｂ)に示すように、両第１係合片４８,４８は、楕円形状の通孔部４４の短軸方向に延在して、互いに開口部５４の中心を挟んで対向し、開口部内方に延在している。また、前記第２係合片５０,５０は、その寸法ｌ2が第１係合片４８の寸法ｌ1よりも短く設定されている。そして、両第２係合片５０,５０は、前記開口部５４の中心を挟んで対向して設けられ、開口部内方へ向けて通孔部４４の長軸方向に延出している。なお、これら第１,第２係合片４８,４８,５０,５０が画成する通孔部４４の開口寸法(長軸の内径および短軸の内径)は、前記フックボルト１０の外径よりも小さく設定され、フックボルト１０を通孔部４４に挿通させた際に、第１,第２係合片４８,４８,５０,５０が弾性変形してフックボルト１０に係合するようになっている。また通孔部４４は、前記開口部５４と同心的に位置するよう画成されている。
【００１４】
すなわち、前記サドル４０を押込んでフックボルト１０を通孔部４４に挿通させると、図３(ａ)および(ｂ)に示すように、第１,第２係合片４８,４８,５０,５０がフックボルト１０によって弾性変形された状態で、夫々の開放端４８ａ,４８ａ,５０ａ,５０ａが雄ネジ部１０ａに係合するようになっている。このとき前記第１係合片４８の係合位置(図３(ａ)参照)は、前記第２係合片５０の係合位置(図３(ｂ)参照)よりも雄ネジ部１０ａの上側に位置している。すなわち、第１係合片４８および第２係合片５０の長さ寸法に差を設けることで、フックボルト１０に係合する箇所が上下にずれ、高低差を有した２段階の係合構造が達成されている。実施例では、第１,第２係合片４８,５０の係合位置の高低差が、約５ｍｍ程度となるよう設定されている。
【００１５】
なお、前述した板状片５２は、金属素材であれば何れの素材を用いてもよいが、耐候性や加工性、弾性等を考慮すれば、チタンや靱性ステンレス等が素材として殊に好適である。また、前記第１,第２係合片４８,５０を形成するための打抜き加工については、例えば、チタンの定尺板にターレットパンチで複数(実施例では１８個)の小孔を開設し、シャー(剪断機)により正方形の小片に切断することで板状片５２が形成される。また、前記通孔部４４は、例えば、２つのパンチによる円を僅かにずらすことで成形される。但し、これら第１,第２係合片４８,５０および通孔部４４の形成方法については、ターレットパンチによるものに限定されず、他の方法により形成することも勿論可能である。
【００１６】
前記平坦部４２の両縁から斜め下方に延在するスカート部４６は、サドル４０を波形スレート１８上に着座させた際に、山形部１８ａの略全体を覆うようにして跨ぐようになっている。そして、両スカート部４６,４６の縁部４６ａ,４６ａが波形スレート１８における山形部１８ａを挟む両側部に当接することで、後述する金属屋根材３０を支持するようになっている。図１に示すように、波形スレート１８に取付けられたサドル４０上には、断面コ字型をなす所要長のチャンネル材５６が波形スレート１８の山形部１８ａの延在方向と交差する方向へ延在するよう配置される。この状態で、タッピングネジ５８をチャンネル材５６を介してサドル４０の平坦部４２にねじ込むことで、これらチャンネル材５６とサドル４０とが固定されるようになっている。また、新たに敷設される金属屋根材３０は、台形状の山部６０,６０を複数成形した折板であって、各山部６０の間には、前記チャンネル材５６と当接する谷部６２,６２が形成されている。そして、サドル４０に固定されたチャンネル材５６上に金属屋根材３０を配置し、タッピングネジ６４を金属屋根材３０の谷部６２を介してチャンネル材５６にねじ込むことで、これら金属屋根材３０とチャンネル材５６とが固定される。なお、金属屋根材３０の断面形状については実施例に限定される訳ではなく、例えば断面波形状のものや、矩形状等、従来公知の屋根材が使用される。また図１に示すように、前記金属屋根材３０とチャンネル材５６との間に断熱材６６を介在させることで、改修後の建物内の断熱効果を向上させるようにしてもよい。すなわち、前記チャンネル材５６上に断熱材６６を配置し、更にその上から金属屋根材３０を設置して、前記タッピングネジ６４によってこれらを固定すればよい。
【００１７】
(実施例の作用)
次に、実施例に係る波形スレート改修用のサドル４０の作用について、波形スレートを改修する手順と共に以下説明する。先ず始めに、サドル４０の通孔部４４にフックボルト１０を臨ませてサドル４０を下方へ押し込む。すると、前記通孔部４４の開口寸法は、フックボルト１０の外径よりも小さく設定されているので、前記第１,第２係合片４８,５０はフックボルト１０によって上方へ弾性変形される。そして、前記スカート部４６が波形スレート１８の中腹辺りに当接するまでサドル４０を押し込み、該サドル４０を山形部１８ａに跨らせる。この時、図３(ａ)および(ｂ)に示すように、前記第１係合片４８,４８がフックボルト１０の上側で係合すると共に、第２係合片５０,５０がフックボルト１０の下側で係合し、フックボルト１０に対し高低差を有した段差状の係合構造をなしてサドル４０は固定される。従って、前記サドル４０はフックボルト１０に確実に係合して、波形スレート１８にしっかりと取付けられる。
【００１８】
次に、前記チャンネル材５６を波形スレート１８における山形部１８ａの延在方向と交差する方向へ延在するようサドル４０上に位置させる。この状態で、タッピングネジ５８をチャンネル材５６を介してサドル４０にねじ込み、チャンネル材５６をサドル４０上に固定する。更に、サドル４０に固定されたチャンネル材５６上に、金属屋根材３０を載置し、該金属屋根材３０の谷部６２をチャンネル材５６に当接させる。この状態で、タッピングネジ６４を谷部６２を介してチャンネル材５６にねじ込むことで、前記金属屋根材３０をチャンネル材５６上に固定させる。また、金属屋根材３０とチャンネル材５６との間に断熱材６６を敷設する場合には、前記金属屋根材３０を固定する前に、チャンネル材５６上に断熱材６６を配置し、その上から金属屋根材３０を配置して、これらをタッピングネジ６４により固定する。これにより、改修後の建物内の断熱効果を向上させることが可能となる。
【００１９】
すなわち、実施例に係る波形スレート改修用のサドル４０によれば、従来のようにボルト等の固定部材を用いなくても、押込むだけで波形スレート１８に固定することができる。従って、波形スレート１８への取付け作業が極めて効率的となり、改修に要する時間が短縮されて波形スレート１８の改修コストを低廉にすることが可能となる。また、フックボルト１０の突出量が短くても、第１係合片４８,４８および第２係合片５０,５０が確実に係合するので、サドル４０の固定力が低下したり、サドル４０を固定できなくなると云った問題を回避し得る。更に、実施例のサドル４０は押込むだけで固定し得るので、フックボルト１０が錆びていたり、多少変形していたとしても、容易にサドル４０を波形スレート１８に取付けることができる。
【００２０】
なお、実施例のサドル４０は、第１,第２係合片４８,５０および通孔部４４を板状片５２に形成し、これを平坦部４２に溶着する構成をなしていたが、第１,第２係合片４８,５０および通孔部４４をサドル４０の平坦部４２に直接形成するようにしてもよい。また、実施例で示したチャンネル材５６や金属屋根材３０等を使用した改修方法は、１つの例を示したものであり、他の方法で改修することも可能である。例えば、実施例では、金属屋根材３０はチャンネル材５６を介してサドル４０上に設置していたが、金属屋根材３０をサドル４０に直接固定するようにしてもよい。
【００２１】
(変更例)
前述した実施例に係るサドル４０においては、前記板状片５２が平坦部４２の表面側に接合されていたが、板状片５２を平坦部４２の裏側に接合してもよい。すなわち図４に示すように、変更例に係るサドル４１は、平坦部４２の裏面に板状片５３が接合され、フックボルト１０を開口部５４に挿通させた際に、板状片５３は前記ナット３４に当接するよう構成される。また、開口部５４にフックボルト１０させた場合には、第１係合片４９,４９および第２係合片５１,５１が前記開口部５４を介して外方へ臨んだ状態となって、第１,第２係合片４９,４９,５１,５１の開放端４９ａ,４９ａ,５１ａ,５１ａがフックボルト１０に係合するようになっている。
【００２２】
すなわち、変更例に係るサドル４１は、板状片５３を平坦部４２の裏側に設けることで、実施例の如く平坦部４２の表面に板状片５２を接合した場合に比べ、第１,第２係合片４９,５１が係合するのに必要なフックボルト１０のナット３４からの突出量を、平坦部４２の厚み分だけ短くすることが可能となる。換言すれば、前記ナット３４から僅かに突出するフックボルト１０であっても、変更例に係るサドル４１を固定することが可能となる。ちなみに、図４に示す如く、ナット３４から第１係合片４９の先端部４９ａまでの最短距離は約４ｍｍ、また、ナット３４から第２係合片５１の先端部５１ａまでの最短距離は約２ｍｍに設定されている。従って、この場合には、フックボルト１０のナット３４からの突出量が約５ｍｍ程度であれば、変更例に係るサドル４１を係合固定することが可能となる。但し、第１,第２係合片４９,５１の係合時における先端部４９ａ,５１ａとナット３４との最短距離は、前記値に限定される訳でなく、実施態様に合わせて適宜変更すればよい。なお、変更例に係るサドル４１における他の構成については、実施例で示したサドル４０と同様であるので、説明は省略する。
【００２３】
ここで、経年的な劣化によりフックボルト１０が錆びてしまい、図４の破線で示すように、フックボルト１０の表面にローソク状の錆７０が形成されてしまうことがある。しかるに、このようなフックボルト１０であっても、ローソク状の錆７０はフックボルト１０の表面にのみ形成され、その内部は未だ剛性を有していることが多い。従って、変更例に係るサドル４１においては、前記第１,第２係合片４９,５１が表面の錆７０にくい込み、フックボルト１０の剛性を有した内部にしっかりと係合することで、サドル４１の確実な固定が達成されるようになっている。このことは、先に説明した実施例に係るサドル４０についても同じことが云える。なお、変更例に係るサドル４１に設けられる板状片５３は、例えば、図５に示すように、楕円状の通孔部４５の長軸が５.９１ｍｍ、短軸４.５ｍｍに設定され、また、前記ターレットパンチにより計２３個の小孔により、第１,第２係合片４９,４９,５０,５０および通孔部４５が画成されている。すなわち、変更例に係るサドル４１では、通孔部４５の短径と長径の比(楕円率)が約０.７６に設定されている。但し、この楕円率の値としては、例えば０.６〜０.８５の範囲で適宜変更可能である。
【図面の簡単な説明】
【００２４】
【図１】実施例に係るサドルを使用して屋根を改修する様子を示す分解斜視図である。
【図２】実施例に係る波形スレート改修用のサドルを示す図であって、(ａ)はサドルの斜視図を示し、(ｂ)はサドルの平面図を示す。
【図３】実施例に係る波形スレート改修用のサドルがフックボルトに係合した状態を示す説明断面図であって、(ａ)は第１係合片が係合する状態を示し、(ｂ)は第２係合片が係合する状態を示している。
【図４】変更例に係る波形スレート改修用のサドルがフックボルトに係合した状態を示す説明断面図である。
【図５】変更例に係るサドルに接合される板状片を示す平面図である。
【図６】従来のサドルを使用して波形スレート屋根を改修する様子を示す断面図である。
【符号の説明】
【００２５】
１０ フックボルト
１８ 波形スレート
１８ａ 山形部
３０ 金属屋根材(外装材)
４０／４１ サドル
４２ 平坦部
４４／４５ 通孔部
４６ スカート部(支持部)
４８／４９ 第１係合片
４８ａ／４９ａ 開放端
５０／５１ 第２係合片
５０ａ／５１ａ 開放端
５４ 開口部
【図１】
0003124051.tif 000003
【図２】
0003124051.tif 000004
【図３】
0003124051.tif 000005
【図４】
0003124051.tif 000006
【図５】
0003124051.tif 000007
【図６】
0003124051.tif 000008